(57)【要約】【課題】セキュリティを保ちつつ利用者にとって使い勝手の良い電気錠システムを提供する。【解決手段】電気錠システム１は、青色発光素子２１ａの光を透過する第１の表示板１１ａと赤色発光素子２１ｂの光を透過する第２の表示板１１ｂとを重ねて配置し、数字「０」〜「９」が異なる配列からなる可変表示部１１と、数字を含む文字配列に対応した位置に接点を有するスイッチ部１２と、暗証番号入力装置２を起動する度に青色発光素子２１ａと赤色発光素子２１ｂの発光色を切り替えて点灯する制御回路部１３とを備える。【選択図】図１
2015113570.tif 000002
【特許請求の範囲】
【請求項１】
暗証番号を入力する暗証番号入力装置と、前記暗証番号の正常認証時に電気錠を解錠又は施錠する電気錠装置とを備えた電気錠システムにおいて、
前記暗証番号入力装置は、重ねて配置される複数の表示板の固定位置に対し、前記暗証番号を入力するための文字が異なる配列で異なる発光色の光を透過するように形成された可変表示部と、
前記文字の配列に対応した位置に接点を有し、前記文字の押下により接点信号を出力するスイッチ部と、
前記異なる発光色による複数の発光素子を有し、前記暗証番号入力装置の初期起動時に前記複数の発光素子の何れかの発光色の発光素子を点灯し、該点灯した発光素子の光が透過する表示板の文字が押下されたときの前記スイッチ部からの接点信号に基づく暗証番号の正常認証時に点灯している発光素子を消灯し、前記暗証番号入力装置が起動する度に前記発光素子の発光色を切り替えて点灯する制御回路部とを備えたことを特徴とする電気錠システム。
【請求項２】
前記制御回路部又は前記電気錠装置は、前記接点信号に基づく暗証番号の正当性を判別するための照合を行うことを特徴とする請求項１記載の電気錠システム。
【請求項３】
前記複数の発光素子は、発光色が青と赤、又は青と橙の組み合わせからなり、
前記複数の表示板は、前記発光色に合わせた組み合わせからなることを特徴とする請求項１又は２記載の電気錠システム。
【発明の詳細な説明】
【技術分野】
【０００１】
本発明は、利用者の暗証番号を取得して正常認証したときに電気錠を解錠又は施錠制御する電気錠システムに関するものである。
【背景技術】
【０００２】
例えば商業ビル、公共施設、一般住宅等の各種扉には、不審者の侵入を回避するため、防犯性に富んだ電気錠システムが採用されている。この種の電気錠システムとしては、利用者の暗証番号を正常認証したときのみ解錠信号又は施錠信号を出力し、モータやソレノイドなどの駆動手段を駆動してデッドボルトを電気的に進退させ、電気錠の解錠又は施錠の制御を行うものが知られている。
【０００３】
ところで、利用者の暗証番号の入力に固定式ボタンのテンキーを用いた製品として、例えば下記特許文献１の従来の技術に開示される電気錠装置が知られている。この電気錠装置５１は、図４に示すように、扉に設けた電気錠５２と、電気錠５２を室内から解錠するための電気錠釦５３と、電気錠５２を外部から解錠するための暗証番号を入力する固定式ボタンのテンキー５４と、制御機５５と、鍵の使用により扉の電気錠５２を解錠するためのキー操作部５６とを備えている。
【０００４】
この電気錠装置５１では、利用者が予め任意に選択して決めた暗証番号（例えば４桁の任意の組み合わせ番号）を制御機５５（対象装置）に登録しておき、その登録された通りの番号の数字キーがテンキー５４から入力されると、電気錠５２の解錠が行われるようになっている。
【０００５】
また、利用者の暗証番号を入力するテンキー５４としては、上述した固定式ボタンの他、例えば下記特許文献２に開示されるように、液晶パネルを用いたテンキーも知られている。この特許文献２に開示される液晶パネルを用いたテンキーでは、利用者が操作する毎に液晶パネルの数字の配列がランダムに変わるようになっている。
【先行技術文献】
【特許文献】
【０００６】
【特許文献１】特開平１１−１５９２１０号公報
【特許文献２】特開２０００−９９８０１号公報
【発明の概要】
【発明が解決しようとする課題】
【０００７】
しかしながら、特許文献１に開示される従来の固定式ボタンのテンキー５４では、各数字キーが固定された構成なので、利用者が押す数字キーの位置から暗証番号が第三者に予測されやすい。しかも、暗証番号の数字キーのみが常に押されるため、その数字キーの磨耗や汚れからも暗証番号が解読されやすく、防犯上に課題があった。
【０００８】
また、液晶パネルを用いたテンキーでは、数字の配列がランダムに変わり、数字の表示位置を変更できるため、固定式ボタンのテンキー５４よりもセキュリティ性を高めることはできるが、利用者が暗証番号に合わせて数字の位置を探す必要があり、操作時間を要するという問題があった。しかも、液晶パネルを制御するため、ハードやソフトも複雑化してコストが嵩むだけでなく、消費電力の大きいバックライトを必要とするという問題があった。
【０００９】
そこで、本発明は上記問題点に鑑みてなされたものであり、セキュリティを保ちつつ利用者にとって使い勝手の良い電気錠システムを提供することを目的とするものである。
【課題を解決するための手段】
【００１０】
上記した目的を達成するために、請求項１に記載された電気錠システムは、暗証番号を入力する暗証番号入力装置と、前記暗証番号の正常認証時に電気錠を解錠又は施錠する電気錠装置とを備えた電気錠システムにおいて、
前記暗証番号入力装置は、重ねて配置される複数の表示板の固定位置に対し、前記暗証番号を入力するための文字が異なる配列で異なる発光色の光を透過するように形成された可変表示部と、
前記文字の配列に対応した位置に接点を有し、前記文字の押下により接点信号を出力するスイッチ部と、
前記異なる発光色による複数の発光素子を有し、前記暗証番号入力装置の初期起動時に前記複数の発光素子の何れかの発光色の発光素子を点灯し、該点灯した発光素子の光が透過する表示板の文字が押下されたときの前記スイッチ部からの接点信号に基づく暗証番号の正常認証時に点灯している発光素子を消灯し、前記暗証番号入力装置が起動する度に前記発光素子の発光色を切り替えて点灯する制御回路部とを備えたことを特徴とする。
【００１１】
請求項２に記載された電気錠システムは、請求項１の電気錠システムにおいて、
前記制御回路部又は前記電気錠装置は、前記接点信号に基づく暗証番号の正当性を判別するための照合を行うことを特徴とする。
【００１２】
請求項３に記載された電気錠システムは、請求項１又は２の電気錠システムにおいて、
前記複数の発光素子は、発光色が青と赤、又は青と橙の組み合わせからなり、
前記複数の表示板は、前記発光色に合わせた組み合わせからなることを特徴とする。
【発明の効果】
【００１３】
本発明によれば、発光素子の発光色により文字の表示位置が切り替わるので、一定のセキュリティを保つことができる。
【００１４】
また、暗証番号入力装置の起動後において、暗証番号以外の文字を押下する必要がなく、複数の表示板による固定された文字配列の切り替えであり、表示色も変化するので、利用者にとって文字の配列を覚え易く、暗証番号の文字の位置も把握し易く、利用者にとって使い勝手が良いシステムを構築することができる。しかも、発光素子の発光色を切り替える処理なので、ハード・ソフトを簡略化してコストの低減が図れ、低消費電力を実現することができる。
【００１５】
さらに、青色と赤色、又は青色と橙色の２色表示の構成とすれば、構成もさらに簡素化され、色弱者へ配慮することが可能になる。
【図面の簡単な説明】
【００１６】
【図１】本発明に係る電気錠システムの全体構成を示すブロック図である。
【図２】本発明に係る電気錠システムに採用される暗証番号入力装置の可変表示可能な２種類の表示配列の一例を示す図である。
【図３】本発明に係る電気錠システムにおける暗証番号の入力時の動作を説明するためのフローチャートである。
【図４】特許文献１に開示される固定式ボタンのテンキーを採用した従来の電気錠装置の一例を示す図である。
【発明を実施するための形態】
【００１７】
以下、本発明を実施するための形態について、添付した図面を参照しながら詳細に説明する。
【００１８】
本発明に係る電気錠システム１は、例えば商業ビル、公共施設、一般住宅等に採用され、利用者の暗証番号を取得して正常認証したときに電気錠を解錠制御又は施錠制御するものであり、図１に示すように、暗証番号入力装置２と電気錠装置３とを備えて概略構成される。
【００１９】
暗証番号入力装置２は、可変表示可能な印刷技術を利用したテンキーからなり、可変表示部１１、スイッチ部１２、制御回路部１３を不図示の筐体に備えて構成される。
【００２０】
可変表示部１１は、少なくとも暗証番号を入力するための文字（表意文字：数字「０」〜「９」）を、異なる発光色の光が透過するように異なる配列で固定位置に印刷形成した複数の表示板で構成される。本例では、図２に示すように、表音文字（アルファベット「Ｃ」，「Ｅ」）の配列が同じで、暗証番号を入力するための表意文字（数字「０」〜「９」）の配列が異なる２種類の表示板（第１の表示板１１ａ、第２の表示板１１ｂ）が可変表示部１１として不図示の筐体の前後に配置して設けられている。
【００２１】
さらに説明すると、第１の表示板１１ａは、図２に示すように、幅方向（図２の矢印Ａ）に「１」と「２」、「３」と「４」、「５」と「６」、「７」と「８」、「９」と「０」、「Ｃ」と「Ｅ」がそれぞれ組をなし、これらの組の順に上から下に向かって長さ方向（図２の矢印Ｂ）に整列した６行２列による文字の配置構成である。第１の表示板１１ａは、各文字から青色光が透過するように青色塗料が調整されて塗布されている。これにより、第１の表示板１１ａは、後述する面発光部２１の青色発光素子２１ａを点灯駆動すると、青色光が透過して「０」〜「９」と「Ｃ」，「Ｅ」を青色表示する。
【００２２】
また、第２の表示板１１ｂは、第１の表示板１１ａの裏側に配置され、図２に示すように、幅方向（図２の矢印Ａ）に「０」と「９」、「８」と「７」、「６」と「５」、「４」と「３」、「２」と「１」、「Ｃ」と「Ｅ」がそれぞれ組をなし、これらの組の順に上から下に向かって長さ方向（図２の矢印Ｂ）に整列した６行２列による文字の配置構成である。第２の表示板１１ｂは、各文字から赤色光が透過するように赤色塗料が調整されて塗布されている。これにより、第２の表示板１１ｂは、後述する面発光部２１の赤色発光素子２１ｂを点灯駆動すると、赤色光が透過して「０」〜「９」と「Ｃ」，「Ｅ」を赤色表示する。
【００２３】
スイッチ部１２は、筐体に対して可変表示部１１の裏側に配置されるタッチパネルやメンブレンスイッチで構成される。スイッチ部１２は、可変表示部１１の各文字（数字「０」〜「９」及びアルファベット「Ｃ」，「Ｅ」）のそれぞれと１対１に対応した位置に接点を有しており、可変表示部１１の第１の表示板１１ａ（又は第２の表示板１１ｂ）の文字が押下されたときに、その押下された文字の位置を示す接点信号を制御回路部１３に出力している。
【００２４】
制御回路部１２は、面発光部２１、駆動部２２、制御部２３を回路基板上に備えて構成される。
【００２５】
面発光部２１は、可変表示部１１の第１の表示板１１ａ（第２の表示板１１ｂ）の各文字（数字「０」〜「９」及びアルファベット「Ｃ」，「Ｅ」）の位置に対応してマトリックス状に配置された複数のＬＥＤからなる発光素子で構成される。本例では、図２に示す可変表示部１１の第１の表示板１１ａ（第２の表示板１１ｂ）の数字「０」〜「９」及びアルファベット「Ｃ」，「Ｅ」の位置に対応して青色発光素子２１ａと赤色発光素子２１ｂをマトリックス状に複数配置して面発光部２１を構成している。
【００２６】
駆動部２２は、制御部２３の制御により、青色発光素子２１ａと赤色発光素子２１ｂを選択的に点灯・消灯駆動している。また、駆動部２２は、制御部２３の制御により、青色発光素子２１ａから赤色発光素子２１ｂに切り替えて点灯駆動したり、赤色発光素子２１ｂから青色発光素子２１ａに切り替えて点灯駆動している。
【００２７】
制御部２３は、面発光部２１の青色発光素子２１ａ及び赤色発光素子２１ｂの点灯・消灯や発光色の切替を行うように駆動部２２を制御する他、スイッチ部１２の接点信号に基づく暗証番号の検知・照合、暗証番号の正常認証時の解錠信号（施錠信号）の出力制御などを行っている。また、制御部２３には、電気錠装置３の電気錠３２の解錠・施錠を許可する暗証番号（ＰＩＮ：個人識別情報）が予め登録されている。
【００２８】
さらに説明すると、制御部２３は、可変表示部１１の所定の文字又は文字の組み合わせによる押下（本例では、アルファベット「Ｃ」の押下）がなされて暗証番号入力装置２が起動する度に、青色発光素子２１ａから赤色発光素子２１ｂ、又は赤色発光素子２１ｂから青色発光素子２１ａに切り替えて発光して点灯駆動するように発光の切り替えを指示する制御信号を駆動部２２に出力している。
【００２９】
また、制御部２３は、スイッチ部１２から接点信号が入力されると、その接点信号による押下位置と点灯駆動している発光素子（青色発光素子２１ａ又は赤色発光素子２１ｂ）の発光色で変化させた文字の位置とのマッチングを行うことにより利用者が入力した暗証番号を検知している。
【００３０】
そして、制御部２３は、検知した暗証番号と予め登録された暗証番号と照合してその正当性を判別し、検知した暗証番号を正常認証すると、現在点灯駆動している発光素子（青色発光素子２１ａ又は赤色発光素子２１ｂ）の消灯を指示する制御信号を駆動部２２に出力するとともに、電気錠を解錠（施錠）制御するための解錠信号（施錠信号）を電気錠装置３に出力している。
【００３１】
電気錠装置３は、電気錠制御部３１と電気錠３２を備えて構成される。電気錠制御部３１は、暗証番号入力装置２の制御部２３との間で情報のやり取りを行っており、制御部２３から解錠信号（施錠信号）が入力されると、電気錠３２を解錠制御（施錠制御）するための制御信号を電気錠３２に出力している。
【００３２】
電気錠３２は、電池や商用電源を駆動源とし、電気錠制御部３１からの制御信号により、例えばモーターやソレノイドなどの駆動手段への通電が制御され、駆動手段に連結されるデッドボルトを扉枠の係合穴に進退させることで施錠又は解錠される従来より周知の構成であり、電気錠システム１が採用される各種扉毎に適宜設置される。
【００３３】
次に、上記のように構成される電気錠システム１において利用者が暗証番号を入力して電気錠３２を解錠するまでの一連の動作について図３を参照しながら説明する。ここでは、暗証番号の認証時に利用者が可変表示部１１のアルファベット「Ｃ」を押下すると、暗証番号入力装置２が起動するものとして説明する。
【００３４】
利用者Ａが可変表示部１１のアルファベット「Ｃ」を押下して暗証番号入力装置２を起動（初期起動）すると（ＳＴ１）、スイッチ部１２から暗証番号入力装置２の起動を示す接点信号が制御部２３に出力される（ＳＴ２）。制御部２３は、スイッチ部１２から暗証番号入力装置２の起動を示す接点信号が入力されると、青色発光素子２１ａの発光を指示する制御信号を駆動部２２に出力する（ＳＴ３）。駆動部２２は、制御部２３から青色発光素子２１ａの発光を指示する制御信号が入力されると、青色発光素子２１ａを発光して点灯駆動する。これにより、第１の表示板１１ａの数字「０」〜「９」及びアルファベット「Ｃ」，「Ｅ」を青色表示する（ＳＴ４）。
【００３５】
そして、利用者Ａは、青色発光素子２１ａの点灯駆動により青色表示される第１の表示板１１ａの数字「０」〜「９」において、暗証番号を構成する数字を順番に押下した後、最後に確定を意味する文字を押下して暗証番号を入力する（ＳＴ５）。例えば「１３２４」の暗証番号であれば、第１の表示板１１ａの文字を「１」→「３」→「２」→「４」→「Ｅ（確定）」の順番に押下する。この暗証番号の入力により、スイッチ部１２から暗証番号を示す接点信号が制御部２３に出力される（ＳＴ６）。尚、間違えて数字を押下した場合、第１の表示板１１ａのアルファベット「Ｃ」を押下すれば、押下された数字がクリアされ、一つ前の入力状態に戻すことができる。
【００３６】
そして、制御部２３は、スイッチ部１２から暗証番号を示す接点信号が入力されると、この接点信号に基づく暗証番号の照合を行い（ＳＴ７）、暗証番号を正常認証すると、電気錠装置３の電気錠制御部３１に解錠信号を出力し、青色発光素子２１ａの消灯を指示する制御信号を駆動部２２に出力する（ＳＴ８）。駆動部２２は、制御部２３から消灯を指示する制御信号が入力されると、青色発光素子２１ａの発光を停止して消灯駆動する（ＳＴ９）。これにより、暗証番号入力装置２の起動も停止する。また同時に、電気錠装置３の電気錠制御部３１は、制御部２３から解錠信号が入力されると、電気錠３２を解錠制御する。
【００３７】
次に、利用者Ａに続いて利用者Ｂが可変表示部１１のアルファベット「Ｃ」を押下して暗証番号入力装置２を起動すると（ＳＴ１１）、スイッチ部１２から暗証番号入力装置２の起動を示す接点信号が制御部２３に出力される（ＳＴ１２）。制御部２３は、スイッチ部１２から暗証番号入力装置２の起動を示す接点信号が入力されると、青色発光素子２１ａから赤色発光素子２１ｂに切り替えて赤色発光素子２１ｂの発光を指示する制御信号を駆動部２２に出力する（ＳＴ１３）。駆動部２２は、制御部２３から赤色発光素子２１ｂの発光を指示する制御信号が入力されると、赤色発光素子２１ｂを発光して点灯駆動する。これにより、第２の表示板１１ｂの数字「０」〜「９」及びアルファベット「Ｃ」，「Ｅ」を赤色表示する（ＳＴ１４）。そして、この赤色発光素子２１ｂの点灯駆動後の処理は、上述した青色発光素子２１ａの点灯駆動後と同様の処理（ＳＴ５〜ＳＴ９）が実行される。
【００３８】
このように、本例の電気錠システム１では、利用者が可変表示部１１の所定の文字を押下して暗証番号入力装置２を起動する度に発光駆動させる発光素子の発光色を切り替え（例えば、アルファベット「Ｃ」を押下する度に、青色→赤色、赤色→青色に切り替え）、数字「０」〜「９」の表示位置を変更（第１の表示板１１ａ→第２の表示板１１ｂ、第２の表示板１１ｂ→第１の表示板１１ａに変更）している。これにより、発光素子の発光色の切り替えに伴って文字（数字）の表示位置も切り替わるので、一定のセキュリティを保つことができる。また、暗証番号入力装置２の起動後は、暗証番号に関する数字以外の文字を押下する必要がない。さらに、可変表示部１１が第１の表示板１１ａと第２の表示板１１ｂの２種類の表示板による文字配列の切り替えであり、表示色も変化するので、利用者にとって文字の配列を覚え易く、暗証番号に関する数字の位置も把握し易く、利用者にとって使い勝手の良いシステムを構築することができる。また、面発光部２１の発光素子の発光色を切り替える処理なので、ハード・ソフトを簡略化してコストの低減が図れ、低消費電力を実現することができる。さらに、可変表示部１１を（青色／赤色、青色／橙色）の２色表示の構成とすれば、構成の簡素化が図れるとともに、色弱者へ配慮することが可能になる。
【００３９】
ところで、上述した実施の形態では、スイッチ部１２を筐体に対して可変表示部１１の裏側に配置する構成として説明したが、使用するスイッチ部１２の種類に応じて、スイッチ部１２を筐体に対して可変表示部１１の表側に配置して構成する場合もある。すなわち、スイッチ部１２は、可変表示部１１の各文字の押下されたときに接点信号が出力される構成であれば良い。
【００４０】
また、可変表示部１１は、第１の表示板１１ａが青色発光素子２１ａと対をなし、第２の表示板１１ｂが赤色発光素子２１ｂと対をなす構成として説明したが、これに限定されるものではない。例えば第１の表示板１１ａが青色発光素子と対をなし、第２の表示板１１ｂが橙色発光素子と対をなす構成としたり、各々異なる文字の配列からなる複数の表示板が異なる発光色の発光素子とそれぞれ対をなす構成とすることができる。その際、各表示板は、透過させる発光色に合わせた色の塗料により文字が印刷される。
【００４１】
さらに、上述した実施の形態では、暗証番号の照合を暗証番号入力装置２の制御部２３で行う構成としているが、電気錠装置３の電気錠制御部３１が暗証番号入力装置２の制御部２３からの暗証番号を入力とし、暗証番号の照合を行う構成とすることもできる。但し、暗証番号入力装置２と電気錠装置３との間での暗証番号の漏洩を防止してセキュリティの向上を図るためには、暗証番号の照合を暗証番号入力装置２の制御部２３で行うのが好ましい。
【００４２】
また、上述した実施の形態では、可変表示部１１を青色塗料が塗布された第１の表示板１１ａと赤色塗料が塗布された第２の表示板１１ｂの２色の表示板で構成し、面発光部２１を青色発光素子２１ａと赤色発光素子２１ｂで構成した場合を例にとって説明したが、これに限定されるものではない。例えば、面発光部２１を発光色の異なる３種類以上の発光素子で構成し、発光素子の発光色毎に設けられる表示板に対し、発光素子の発光色に合わせた色の塗料が塗布された可変表示部１１を用いることもできる。
【００４３】
さらに、上述した実施の形態では、初期状態でアルファベット「Ｃ」を押下したときに青色発光素子２１ａが発光して点灯駆動するものとして説明したが、初期状態でアルファベット「Ｃ」を押下したときに赤色発光素子２１ｂを発光して点灯駆動しても良い。
【００４４】
また、初期状態から青色発光素子２１ａ又は赤色発光素子２１ｂを発光して点灯駆動する際、アルファベット「Ｃ」を押下したときの接点信号をトリガーとして用いているが、これに限定されるものではない。例えばアルファベット「Ｃ」，「Ｅ」や数字「０」〜「９」を任意に組み合わせて押下したときの接点信号をトリガーとして用いることもできる。
【００４５】
さらに、面発光部２１を異なる発光色による複数種類の発光素子で構成し、文字（表意文字（数字）、表音文字（アルファベット）、表語文字（漢字）など）を任意に組み合わせて押下したときの接点信号が入力される度に異なる発光色の発光素子の点灯駆動する順番を切り替えることもできる。例えば複数の発光色の発光素子を青色発光素子、赤色発光素子、橙色発光素子で構成した場合、アルファベット「Ｅ」と数字「０」とを同時に押下したときの接点信号が入力する度に青色、赤色、橙色の順に発光色を順次切り替えることもできる。
【００４６】
以上、本発明に係る電気錠システム１の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００４７】
１  電気錠システム
２  暗証番号入力装置
３  電気錠装置
１１  可変表示部
１１ａ  第１の表示板
１１ｂ  第２の表示板
１２  スイッチ部
１３  制御回路部
２１  面発光部
２１ａ  青色発光素子（青色ＬＥＤ）
２１ｂ  赤色発光素子（赤色ＬＥＤ）
２２  駆動部
２３  制御部
３１  電気錠制御部
３２  電気錠
【図１】
2015113570.tif 000003
【図２】
2015113570.tif 000004
【図３】
2015113570.tif 000005
【図４】
2015113570.tif 000006